(57)【要約】      （修正有）【課題】外向式、内向式や引き違い式、いずれのドアにも取り付け可能で、使用状態において外部から屋内が見えない侵入防止になっているＥＣＯ格子ドア装置を提供する。【解決手段】ＥＣＯ格子ドア本体１と建物の出入口を開閉する本ドア２４が枢着されている縦枠とは反対側の縦枠２４にＥＣＯ格子ドア本体を、枢着するための取付具１０，１０′と、本ドアのノブが付いている自由端部を、半開き状態でＥＣＯ格子ドア本体の自由端部に固定することのできる、鍵座と鍵座カバーを設ける。半開きの状態の本ドアをＥＣＯ格子ドアに施錠するための保持具を、ＥＣＯ格子ドアの中桟に備え、取付具は出入口の縦枠に取り付けるための平板状取付部と、この平板状取付部から側面視カギ形に突出するドア支持部とからなり、このドア支持部にはＥＣＯ格子ドア本体を外開き式および内開き式の、いずれにも対応するように取付部側と先端側の２ヶ所に、ＥＣＯ格子ドア本体を軸支するための、軸受穴が設けられている。【選択図】図２
0003191447.tif 000002
【実用新案登録請求の範囲】
【請求項１】
少なくとも一部に換気部が形成されている、ＥＣＯ格子ドア本体と建物の出入口を開閉する本ドアが枢着されている縦枠とは、反対側の縦枠にＥＣＯ格子ドア本体を、枢着するための取付具と、本ドアのノブが付いている自由端部を、半開き状態でＥＣＯ格子ドア本体の自由端部に固定することのできる、ＥＣＯ格子ドアの中央部の縦枠に、本ドアと施錠できる鍵座と鍵座カバーを設け、別に保持具を備え、前記取付具は出入口の縦枠に取り付けるための平板状取付部と、この平板状取付部から側面視カギ取に突出するドア支持部とからなり、このドア支持部にはＥＣＯ格子ドア本体を外開き式および内開き式の、いずれにも対応するように取付部側と先端側の２ヶ所に、ＥＣＯ格子ドア本体を軸支するための、軸受穴が設けられていることを特徴とするＥＣＯ格子ドア装置
【考案の詳細な説明】
【技術分野】
【０００１】  本考案は住宅・マンション等の出入口に取り付けられるＥＣＯ格子ドア装置（以下、単に「格子ドア装置」という）に関するものである。
【背景技術】
【０００２】  一般的に住宅・マンション等では窓が少なく、昼間でも暗い状態であったり、自然換気があまりよくないため、オールシーズン、特に夏季においては、玄関の扉を開放して部屋内の自然換気を図ることが行われている。【０００３】  ところが、このように玄関扉を開放したままにしておくと、虫等が部屋内に入るため、網戸を出入口に設けることが行われている。しかしながら、この網戸は玄関の出入口開口の前面を覆うように取り付けられているため、玄関の扉が完全に開放されたままになり、通路を通る人から部屋内を覗かれ、場合によっては侵入され、犯罪に繋がるという弊害があった。【０００４】  また、この網戸の取り付けには技術を要するため、素人では取り付けが困難であるというような問題もあった。【０００５】  さらに、内向き式のドアに対しては、網戸すら取り付け不可能であるのが現状である。
【考案の概要】
【考案が解決しようとする課題】  本考案は上記の事情に鑑みてなされたもので、外向き式および内向き式や引き違い式、いずれのドアにも取り付け可能で、しかも、使用状態において外部から屋内が見えない侵入防止の格子ドア装置を提供することを目的としている。【０００６】  すなわち、本考案にかかる格子ドア装置は、少なくとも一部に換気部が形成されている格子ドア本体と建物の出入口を開閉する本ドアが枢着されている縦枠と反対側の縦枠に格子ドア本体を枢着するための格子ドアの縦枠に鍵座を鍵座カバーを備え、本ドアの鍵本体のロックを操作することにより保持される。【０００７】  また、格子ドア本体を固定することのできる別の保持具を備え、前記取付具は出入口の縦枠に取り付けるための平板状取付部と、この平板状取付部から側面視カギ形で、かつ平面視斜め外方に突出するドア支持部とからなり、このドア支持部には格子ドアの本体を外開き式および内開き式のいずれにも対応するように取付部側と先端側の２個所に格子ドア本体を軸支するための軸受穴が設けられていることを特徴としている。
【課題を解決するための手段】
【０００８】  本考案の格子ドア装置は、取付具のドア支持部の先端側には外開き式に対応する軸受穴が設けられているとともに、取付部側には内開き式に対応する軸受穴が設けられているので、外開き式および内開き式のいずれにも対応することができる。【０００９】  すなわち、外開き式の場合、格子ドア本体の外開きを可能とさせるためには格子ドア本体の枢着点を取付具の平板状取付部から離れた位置にあるドア当たり部のある近傍に持ってくる必要があるので、ドア支持部の先端側に設けられた軸受穴を使用して、この外開き式に対応することができ、他方、内開き式の場合には、格子ドア本体の枢着点を取付具の平板状取付部から離れた位置に持ってくると格子ドア本体と平板状取付部との間に隙間が生じてこの隙間から虫等が侵入するので、格子ドア本体の枢着点を平板状取付部に近接させる必要があり、そのため、この場合はドア支持部の取付部側に設けられた軸受穴を使用して、この内開き式に対応すればよいからである。【００１０】  さらに、引戸への取り付けも可能である。また、この格子ドア装置は、本ドアを半開きにし、その半開きの本ドアの開放側端部と入口縁部との間を塞ぐようにして使用されるため、半開き状の本ドアに邪魔され、外部から屋内が見えないのである。
【本考案の効果】
【００１１】  以上の説明から明らかなように、本考案にかかる格子ドア装置は、外開き式のドアに対しては勿論、内開き式のドアに対しても容易に対応することができる。
【００１２】  また、使用状態においては、外部から屋内を覗くことができず、プライバシーを守りつつ、防犯の意味においても確実にロックすることができるため、安全である。
【図面の簡単な説明】
【００１３】
【図１】ａは本考案にかかる格子ドア装置の１例の構成図である。ｂ、ｃ、ｄは、その部分図である。
【図２】本考案の取り付け状態図である。
【図３】本考案の平面断面図である。
【図４】本考案の要部の拡大図である。
【図５】ａ、ｂは本考案を内開き式のドアに取り付けた状態の平面断面図と要部平面断面詳細図である。
【図６】ａ、ｂ、ｃは本考案を引き違い式のドアに取り付けた状態の平面断面図と、その立面図および要部の平面断面詳細図である。
【図７】本考案と本ドアを組合せ、施錠する前の写真である。
【図８】本考案と本ドアを組合せ、施錠した状態の平面断面図である。
【図９】本考案と本ドアを組合せ、施錠した状態の写真である。
【図１０】本考案と本ドアを組合せ、施錠した状態の平面断面図である。
【図１１】図１の鎖線部分の拡大側面詳細図である。
【図１２】図１の鎖線部分の平面詳細断面図である。
【図１３】本考案の格子ドアに取り付ける支持ピンの拡大側面図である。
【図１４】図１の鎖線部分の側面拡大図である。
【図１５】図１４のＡ−Ａ´の断面拡大図
【考案を実施するための形態】
【００１４】  このようにして構造物２２に取り付けられた格子ドア本体１を室外側に回動させ、格子ドア本体１の自由端面を突き合わせる。なお、格子ドア本体１の自由端面には、前記戸当たり具２２が取り付けられているため、格子ドア本体１が本ドア２４の端部から外れることはない。格子ドア本体１と本ドア２４とを固定するには、図７〜図１０にも示す如く、格子ドア本体１の縦枠２に設けられた鍵座９´に本ドア２４の鍵本体１６のロック３１を作動し、レットボルト３２を格子ドア本体１の鍵座９´に固定することができる。
【００１５】  また、図４にも示す如く、鎖１８を本ドア２４のノブ３０に巻き込み、軽く引っ張って伸長させた鎖１８の架渡し部１８ａと折り返し部１８ｂの、互いに重なる適当な位置の輪１７，１７に、連結。リング１９を挿通させればよい。
【００１６】  以上のように、格子ドア本体１の取り付けおよびロックはきわめて簡単である。ドライバー等の一般家庭にある工具のみで、格子ドアに取付用の枠がないため、容易に格子ドア本体１を取り付けることができるので、素人でも取り付け施行が可能である。
【００１７】  鎖１８と連結リング１９による本ドアの施錠と二重のロック機構は外部から外すことができない構造であるため、使用中も安全である。
【００１８】  また、使用状態において、格子ドア本体１はドア取付用開口部２３に対してほぼ垂直になっているので、外部から屋内はほとんど見えないようになっている。換気部にエキスパンドメタルやガラリ等を設ければ、一層効果的である。
【００１９】  図５ａ，ｂは格子ドア装置Ｄを内開き式ドアに取り付けた状態をあらわす。この場合、格子ドア本体１の支持ピン７，７´をヒンジ１０，１０´の取付部側の軸受穴１５，１５に挿入させて、格子ドア本体１を支持する。このように格子ドア本体１を構造物２２に接近させて取り付けることにより、格子ドア本体１と構造物２２との間に隙間が生じず、虫等の屋内への侵入が防げるのである。
【００２０】  また、格子ドア本体１は鎖１８が屋内側に位置するように取り付けられ、ロックに際しては、鎖１８を本ドア２４の端部を迂回させてノブ３０に連結する。内開きドアに取り付ける場合も外開きドアに取り付ける場合と同様、本ドア２４の鍵本体１６のロック３１で固定できるため、外部から室内を覗くことはできない。
【００２１】  外開き式ドアおよび内開きドアのいずれの場合でも、格子ドア装置Ｄを使用しないときには、格子ドア本体１のロックを外し、格子ドア本体１を室内の側面に隣接した位置に回動させておけば、通常通りに本ドアを使用することができる。
【００２２】  さらに、この格子ドア装置Ｄは、玄関引き違い戸やベランダサッシュの網戸としても使用することができる。
【００２３】  図６ａ，ｂ，ｃは格子ドア装置Ｄをベランダの引き戸に取り付けた１例で、格子ドア本体１は、構造物２２に設けられた取付枠２６に取り付けられたヒンジ１０，１０´に枢着されている。この格子ドア本体１は回動自在であるため、格子ドア本体１を回動させて内外のサッシュ戸３３，３３´のレール３４，３４´上から移動させることによって、サッシュ戸３３，３３´を支障なく開閉することができる。
【００２４】  従来の網戸のように、網戸をレール上に設けることにより、サッシュ戸の可動範囲が制限されるということはない。ただし、換気を行った状態で換気ドア本体１をロックする必要がある場合には、鎖１８の受金具としての凸状物を引き戸等に設けておく必要がある。
【実施例】
【００２５】  以下、図面にあらわされた実施例に基づいてこれを説明する。
図１は、この考案にかかる格子ドア装置の１実施例の構成図である。格子ドア本体１は、中空の枠材で外枠２および中桟３が形成され、この外枠２と中桟３の間隔部にネット４と格子５が設けられている。ネット４の部分が、この格子ドア本体１の換気部である。【００２６】  外枠２の構造物取付側端面には、上下に二ヶ所の開口穴６が形成されており、この開口穴６を通して上下両端部付近に、上部支持ピン７および下部支持ピン７´がそれぞれ支持ピン取付ビス８，８によって外枠２に取り付けられている。このビス８が外枠２の縦枠と横枠を連結するビスを兼ねていると、ビス点数が少なくなり、便利である。【００２７】  前記両支持ピン７，７´の先端部７ａ，７ａ´は、外枠２の上下端面よりも上下に突出している。支持ピン７，７´と組になり、格子ドア本体１を構造物開口部に取り付けるための取付具は、図１に図示されているヒンジ１０，１０´である。【００２８】  ヒンジ１０，１０´は、平板状の取付部１１から側面視カギ形で平面視斜め外方に突出しているドア支持部１２とからなる。取付部１１には側面側が大径の皿穴１４が２ヶ所に設けられており、また、ドア支持部１２には内外に２個の軸受穴１５，１５´が設けられている。なお、上部ヒンジ１０と下部ヒンジ１０´とは対称形である。【００２９】  図７〜図１０・図１４・図１５にも示す如く、格子ドア本体１の縦枠２に設けた鍵座９´に本ドア２４の鍵本体１６のロック鍵３１を作動しレットボルト３２を格子ドア１の鍵座９´に固定することができる。そのため、本ドアの鍵本体は外部から施錠できるようになっているので便利である。【００３０】  中桟３の格子ドア取付側端部には、複数の輪１７を連結した鎖１８が取り付けられている。この鎖１８は、格子ドア本体１を本ドア２４へ固定するための保持具である。鎖１８の連結補助具は図１ｃに図示されている連結リング１９である。連結リング１９は、一部分が切り欠かれた環状をしており、その切り欠かれた両端部は膨出部２０になっている。保持具は、鎖に代え、カギ状の金具等、他の形のものであってもよい。【００３１】  外枠２の本ドア取付側端面には、図１ｄに示すような、くの字形の戸当たり具２１を取り付けるための戸当たり具取付穴（図示せず）が設けられている。【００３２】  以下、外開きドアに取り付ける場合を例にとり、この格子ドア装置Ｄの取付方法について説明する。図２および図３に示すように、構造物２２のドア取付用開口部２３の片側に公知のとおりの本ドア２４が回動自在に枢着されており、反対側の屋内側は木製の縁部（縦枠）２６になっている。【００３３】  まず、この縁部２６の床面近くに、下部ヒンジ１０´を、ドア支持部１２が下側になるようにして、取付用ビス２７を皿穴１４に挿入することにより取り付ける。ついで、格子ドア本体１を持ち上げ、下部支持ピン７´に座金２８を嵌め込み、この下部支持ピン７´をヒンジ１０´の先端側の軸受穴１５´に挿入する。こうして格子ドア本体１を下部ヒンジ１０´上で垂直に立てた状態に支持し、さらに、縁部２６の上端部にドア支持部１２が上側になるようにして取り付けた上部ヒンジ１０の外側の軸受穴１５´に、上部支持ピン７を嵌め込むことにより、格子ドア本体１の取り付け���完了する。【００３４】  格子ドア本体１は、上下の支持ピン７，７´を軸心として回動自在である。この場合、格子ドア本体１の着点は、ヒンジ１０，１０´の先端側の軸受穴１５´に設定されていて図３にみるようにドア当たり部２５の近傍になっているので、ドア当たり部２５は格子ドア本体１を外側に開く妨げにならない。しかも、ドア当たり部２５と格子ドア本体１との間に隙間が生じないようにもなる。【００３５】  鍵座９´は内・外開き戸用の施錠ができるように、表と裏に貫通穴を設けてもよい。
【産業上の利用可能性】
【００３６】  世界各国で地震や台風などの自然災害が多く発生しています。そのため電気の生産量が減少して社会問題の一因となっています。
本考案の格子ドアは冷房に使う消費電力量を少しでも減らすための、省エネタイプの格子ドアを目的としています。また、冷房機の使えない患者さん等に、通風・換気・採光・防犯を目的とした格子ドア使用することで、経済的で省エネ対策に大変役立つものであります。
【符号の説明】１  格子ドア本体１
２  外枠
３  中桟
４  ネット
５  格子
６  開口穴
７，７´  支持ピン    ７ａ，７ａ´  先端部
８，８´  支持ピン取付ビス
９  鍵座のカバープレート  ９´鍵座の開口部  ９´´縦枠１の保護カバー
１０，１０´ヒンジ（取付具）
１１  取付部
１２  ドア支持部
１３  格子（エキスバンドメタル）
１４  皿穴
１５，１５´  軸受穴
１６  鍵本体
１７  輪
１８  鎖
１９  連結リング
２０  膨張部
２１  戸当たり具
２２  構造物
２３  ドア取付用開口部
２４  本ドア
２５  ドア戸当たり部
２６  木製の縁部（縦枠）
２７  取付用ビス
２８  座金
２９  鍵座
３０  ノブ
３１  ロック鍵
３２  レットボルト
３３，３３´  サッシュ
３４，３４´  レール
0003191447.tif 000003
【手続補正書】
【提出日】平成25年11月19日(2013.11.19)
【手続補正１】
【補正対象書類名】図面
【補正対象項目名】全図
【補正方法】追加
【補正の内容】
【図１】
0003191447.tif 000004
【図２】
0003191447.tif 000005
【図３】
0003191447.tif 000006
【図４】
0003191447.tif 000007
【図５】
0003191447.tif 000008
【図６】
0003191447.tif 000009
【図７】
0003191447.tif 000010
【図８】
0003191447.tif 000011
【図９】
0003191447.tif 000012
【図１０】
0003191447.tif 000013
【図１１】
0003191447.tif 000014
【図１２】
0003191447.tif 000015
【図１３】
0003191447.tif 000016
【図１４】
0003191447.tif 000017
【図１５】
0003191447.tif 000018
【手続補正書】
【提出日】平成26年3月25日(2014.3.25)
【手続補正１】
【補正対象書類名】実用新案登録請求の範囲
【補正対象項目名】全文
【補正方法】変更
【補正の内容】
【実用新案登録請求の範囲】
【請求項１】
少なくとも一部に換気部が形成されている、ＥＣＯ格子ドア本体と建物の出入口を開閉する本ドアが枢着されている縦枠とは、反対側の縦枠にＥＣＯ格子ドア本体を、枢着するための取付具と、本ドアのノブが付いている自由端部を、半開き状態でＥＣＯ格子ドア本体の自由端部に固定することのできる、ＥＣＯ格子ドアの中央部の縦枠に、本ドアと施錠できる鍵座と鍵座カバーを設け、また別に、半開きの状態の本ドアをＥＣＯ格子ドアに施錠するための保持具を、ＥＣＯ格子ドアの中桟に備え、前記取付具は出入口の縦枠に取り付けるための平板状取付部と、この平板状取付部から側面視カギ取に突出するドア支持部とからなり、このドア支持部にはＥＣＯ格子ドア本体を外開き式および内開き式の、いずれにも対応するように取付部側と先端側の２ヶ所に、ＥＣＯ格子ドア本体を軸支するための、軸受穴が設けられていることを特徴とするＥＣＯ格子ドア装置